(57)【要約】【課題】プルタブが容易に変形又は損傷しない電気コネクタの提供。【解決手段】本考案に係る電気コネクタ（１）は、スロット（３）を有するソケット（２）と、ソケットに接続されたラッチロッド（５）と、ソケットに結合されるようスロット内に挿入され、互いに対向する側壁の各々にロック部（１３）が設けられたプラグ（９）と、プラグに設けられたプルタブ（１２）とを具備する。プラグがスロット内に挿入されてソケットに結合された後、ラッチロッドが回転してプラグのロック部に受容されると、ラッチロッドがプルタブをプラグの表面に押圧する。このため、ラッチロッドは、プルタブが損傷することから保護し、プラグ及びソケットの結合を確保する。また、ソケットからプラグを接続解除する際に、プルタブは、ラッチロッドがロック部から容易に解除されることを可能にする。【選択図】図２
0003161161.tif 000002
【実用新案登録請求の範囲】
【請求項１】
スロットを有するソケットと、
該ソケットに接続されたラッチロッドと、
前記ソケットに結合されるよう前記スロット内に挿入され、互いに対向する側壁の各々にロック部が設けられたプラグと、
該プラグに設けられたプルタブと
を具備する電気コネクタであって、
前記ラッチロッドが回転して前記プラグの前記ロック部に受容されると、前記ラッチロッドが前記プルタブを前記プラグの表面に押圧して前記プルタブを固定し、
前記プルタブは、前記ラッチロッドが前記ロック部から容易に解除されることを可能にすることを特徴とする電気コネクタ。
【請求項２】
前記ソケットは、前記プラグの前記ロック部に対応する各側壁に穴が設けられることを特徴とする請求項１記載の電気コネクタ。
【請求項３】
前記ラッチロッドは、１対の端部、１対のアーム部、及び中央部を有し、
前記端部は、前記ソケットの前記穴内に嵌まるよう該穴へ突出することを特徴とする請求項２記載の電気コネクタ。
【請求項４】
前記ラッチロッドの前記中央部は、逆Ｕ形状に形成されていることを特徴とする請求項３記載の電気コネクタ。
【請求項５】
相手電気コネクタのプルタブを保護するため、及び２個の電気コネクタが結合した後に前記プルタブをロックするために、対応する２表面に接続されたラッチロッドを具備する電気コネクタであって、
前記プルタブは、前記ラッチロッドにより前記相手電気コネクタに押圧され、
前記プルタブは、前記２個の電気コネクタのロック状態及び前記ラッチロッドを解除することができることを特徴とする電気コネクタ。
【請求項６】
前記プルタブを具備する前記相手電気コネクタは、複数のケーブルに接続されていることを特徴とする請求項５記載の電気コネクタ。
【請求項７】
前記ラッチロッドは、前記電気コネクタの対応する２表面に回転可能に接続され、
前記ラッチロッドは、前記プルタブを具備する前記相手電気コネクタのロック部に受容可能であり、前記２個の電気コネクタをロックすることを特徴とする請求項５記載の電気コネクタ。
【考案の詳細な説明】
【技術分野】
【０００１】
本考案は、電気コネクタに関し、特にプルタブを保護すると共に電気コネクタの結合状態を確保するラッチロッドを有する電気コネクタに関する。
【背景技術】
【０００２】
技術が進歩すると、人々のニーズを満たすためにさまざまなタイプの電子製品が開発されつつある。これらの製品の高性能を達成するために、電子部品の安定性が必要不可欠な条件になる。このため、電子製品の高性能及び多様化するユーザ環境に対処するために、電子部品の安定性に関する規格が起草されている。コネクタは異なる電子部品間の信号を接続及び伝送するための媒体として作用するので、コネクタの安定性は、電子部品の性能において重要な役割を果たす。また、組立を容易にする方法及びコネクタを容易に維持管理する方法も、重要な関心事である。
【０００３】
図８には、既存のコネクタ２０の斜視図が示されている。コネクタ２０は、スロット（図示せず）を有するソケット２１と、ソケット２１のスロット内に挿入されたプラグ２２と、プラグ２２の側壁２４に設けられたプルタブ２３とを具備する。ユーザは、プルタブ２３を引っ張ってプラグ２２をソケット２１から接続解除することができる。
【０００４】
特許文献１は、接続対象物に接続されるコネクタを開示する。このコネクタは、導電性を有するコンタクトと、コンタクトを保持するハウジングと、接続対象物の一部をコンタクトに圧力下で接触させるようハウジングに結合された作動部材と、作動部材と協働して接続対象物の他の部分を固定するロック部材とを具備する。
【先行技術文献】
【特許文献】
【０００５】
【特許文献１】台湾特許第２８７３２５号明細書
【考案の概要】
【考案が解決しようとする課題】
【０００６】
上述のコネクタには、プルタブを保護する保護カバー又は保護シールドが設けられていないという問題がある。このため、プルタブが容易に変形又は損傷するおそれがある。
【０００７】
従って、本考案は、従来のコネクタの欠点を解消する電気コネクタを提供することを目的とする。
【課題を解決するための手段】
【０００８】
本考案によれば、ソケットにラッチロッドが、プラグにロック部がそれぞれ設けられ、ラッチロッドがロック部に受容されてプラグ及びソケットの結合を確保し、ラッチロッドは、プラグのプルタブが損傷するのを防止し、プルタブは、ラッチロッドがロック部から容易に解除されることを可能にする電気コネクタが提供される。
【０００９】
本考案によれば、スロットを有するソケットと、ソケットに接続されたラッチロッドと、ソケットに結合されるようスロット内に挿入され、互いに対向する側壁の各々にロック部が設けられたプラグと、プラグに設けられたプルタブとを具備し、ラッチロッドが回転してプラグのロック部に受容されると、ラッチロッドがプルタブをプラグの表面に押圧し、プルタブは、ラッチロッドがロック部から容易に解除されることを可能にする電気コネクタが提供される。
【００１０】
好適には、ソケットは、プラグのロック部に対応する各側壁に穴が設けられる。
【００１１】
好適には、ラッチロッドは、１対の端部、１対のアーム部、及び中央部を有する。端部は、ソケットの穴内に嵌まるよう穴へ突出する。
【００１２】
好適には、ラッチロッドの中央部は、逆Ｕ形状に形成されている。
【図面の簡単な説明】
【００１３】
【図１】本考案の電気コネクタの第１の分解斜視図である。
【図２】本考案の電気コネクタの第２の分解斜視図である。
【図３】本考案の電気コネクタの第１の組立図である。
【図４】本考案の電気コネクタの第２の組立図である。
【図５】本考案の電気コネクタの第３の組立図である。
【図６】本考案の電気コネクタの第４の組立図である。
【図７】本考案の電気コネクタの第３の分解斜視図である。
【図８】従来のコネクタの斜視図である。
【考案を実施するための形態】
【００１４】
以下、添付図面を参照して本考案の典型的な実施形態を詳細に説明する。当業者には、本考案の真髄及び範囲から逸脱することなく、いかなる種類の置換及び変更も可能であることを理解されたい。以下の説明は、限定するためのものではなく、本考案の一般的原理を説明するためのみにされるものである。
【００１５】
図１及び図２は、本考案の電気コネクタ１の第１及び第２の分解斜視図である。本実施形態において、電気コネクタ１は、スロット３を有すると共に互いに対向する側壁の各々に穴４が設けられたソケット２と、１対の端部６、１対のアーム部７、及び中央部８を有するラッチロッド５と、複数の側壁１０，１１及び各側壁１０にロック部１３を有するプラグ９であって、プラグ９の一端がケーブル１４に接続され、他端がスロット３に挿入されてソケット２内でコンタクトに電気接続されるプラグ９と、プラグ９の側壁１１に設けられたプルタブ１２とを具備する。
【００１６】
ラッチロッド５の端部６は、ソケット２の穴４内に嵌まるように穴４へ突出する。ラッチロッド５の中央部８は、逆Ｕ形状に形成される。
【００１７】
図３及び図４を参照すると、本考案の電気コネクタ１の第１及び第２の組立図が示される。プラグ９は、ソケット２のスロット３内に挿入される。次に、ラッチロッド５は図３に示される矢印Ａの向きに回転されるので、ラッチロッド５のアーム部７はプラグ９のロック部１３に受容され、ラッチロッド５の中央部８はプルタブ１２を押下する。この結果、プルタブ１２はプラグ９の側壁１１に密着して側壁１１を押圧し、ソケット２内のコンタクト及びプラグ９におけるケーブル１４の電気接続が確保される。
【００１８】
図５及び図６を参照すると、本考案の電気コネクタ１の第３及び第４の組立図が示される。プルタブ１２がユーザによって側壁１１から離れる向きに引っ張られた後、図５に示される矢印Ｂの向きに回転されると、ラッチロッド５は、プルタブ１２と共に自然に回転する。この結果、ラッチロッド５のアーム部７は、プラグ９のロック部１３から解除される。その後、プルタブ１２がユーザにより図６に示される矢印Ｃの向きに上方へ引っ張られると、プラグ９及びソケット２は、電気コネクタ１の第３の分解斜視図である図７に示されるように、電気的に接続解除される。
【００１９】
本考案の電気コネクタは以下の利点を有する。
（１）ラッチロッド５がプルタブ１２を押下してプラグ９の側壁１１に密接してプルタブ１２を押圧すると、ラッチロッド５は、プルタブ１２を損傷から保護することができる。
（２）ラッチロッド５のアーム部７がプラグ９のロック部１３に受容されると、ラッチロッド５は、プラグ９及びソケット２の結合をしっかりと確保することができる。
（３）ユーザがプルタブ１２を回転させると、ラッチロッド５はプルタブ１２と共に自然に回転することができ、プラグ９のロック部１３からラッチロッド５のアーム部７を容易に解除することができる。
【００２０】
好適な実施形態に関して本考案を例示により説明したが、実施形態に限定することなく、当業者であれば本考案の真髄及び範囲から逸脱することなく、これらの実施形態に種々の変更、変形を加えてもよいことを理解されたい。本考案の範囲は、実用新案登録請求の範囲で定義されることが意図されている。
【符号の説明】
【００２１】
１    電気コネクタ
２    ソケット
３    スロット
４    穴
５    ラッチロッド
６    端部
７    アーム部
８    中央部
９    プラグ
１０  側壁
１２  プルタブ
１３  ロック部
【図１】
0003161161.tif 000003
【図２】
0003161161.tif 000004
【図３】
0003161161.tif 000005
【図４】
0003161161.tif 000006
【図５】
0003161161.tif 000007
【図６】
0003161161.tif 000008
【図７】
0003161161.tif 000009
【図８】
0003161161.tif 000010